(57)【要約】【課題】キーボード上で、直前に押下したキー操作の確認を可能とし、さらにキー操作の経過確認を容易にする、キーボードの照明制御方法、照明制御プログラム、およびキーボードを提供することを目的とする。【解決手段】複数のキートップと、各キートップに対応するキースイッチと、各キートップに対応する照明光源とを有し、各キートップを個別に照明可能なキーボードの照明制御方法であって、キートップが押下された場合、該押下されたキートップを所定の光量で照明し、該キートップの押下が解除された場合、該押下が解除されたキートップの照明光量を所定の逓減率で時間経過と共に逓減させることを特徴とする。【選択図】図１
2008158871.tif 000002
【特許請求の範囲】
【請求項１】
複数のキートップと、各キートップに対応するキースイッチと、各キートップに対応する照明光源とを有し、各キートップを個別に照明可能なキーボードの照明制御方法であって、
キートップが押下された場合、該押下されたキートップを所定の光量で照明し、
該キートップの押下が解除された場合、該押下が解除されたキートップの照明光量を所定の逓減率で時間経過と共に逓減させることを特徴とするキーボードの照明制御方法。
【請求項２】
請求項１に記載のキーボードの照明制御方法であって、
更にキートップが押下された場合、先に押下されたキートップの照明光量を、前記所定の逓減率とは異なる逓減率で時間経過と共に逓減させ、新たに押下されたキートップの照明光量を前記所定の光量とすることを特徴とするキーボードの照明制御方法。
【請求項３】
請求項１に記載のキーボードの照明制御方法であって、
更にキートップが押下された場合、先に押下されたキートップの照明光量を、キートップ押下前の光量とし、新たに押下されたキートップの照明光量を、前記所定の光量とすることを特徴とするキーボードの照明制御方法。
【請求項４】
複数のキートップと、各キートップに対応するキースイッチと、各キートップに対応する照明光源と、照明光量制御部とを有するキーボードであって、
照明光量制御部は、キートップが押下されたと判定した場合、該押下されたキートップに対応する照明光源の光量を所定の光量とし、該キートップの押下が解除されたと判定した場合、該押下が解除されたキートップに対応する照明光源の光量を所定の逓減率で時間経過と共に逓減させることを特徴とするキーボード。
【請求項５】
請求項４に記載のキーボードであって、
照明光量制御部は、更にキートップが押下されたと判定した場合、先に押下されたキートップに対応する照明光源の光量を、前記所定の逓減率とは異なる逓減率で時間経過と共に逓減させ、新たに押下されたキートップに対応する照明光源の光量を前記所定の光量とすることを特徴とするキーボード。
【請求項６】
コンピュータに、複数のキートップと、各キートップに対応するキースイッチと、各キートップに対応する照明光源と、照明光量制御部とを有するキーボードの照明制御を実行させるプログラムであって、
キートップが押下されたと判定した場合、該押下されたキートップに対応する照明光源の光量を所定の光量とするステップと、
該キートップの押下が解除されたと判定した場合、該押下が解除されたキートップに対応する照明光源の光量を所定の逓減率で時間経過と共に逓減させることを特徴とするキーボードの照明制御プログラム。
【請求項７】
請求項６に記載のキーボードの照明制御プログラムであって、
更にキートップが押下されたと判定した場合、先に押下されたキートップに対応する照明光源の光量を、前記所定の逓減率とは異なる逓減率で時間経過と共に逓減させ、新たに押下されたキートップに対応する照明光源の光量を前記所定の光量とするステップを有することを特徴とするキーボードの照明制御プログラム。
【請求項８】
請求項６に記載のキーボードの照明制御プログラムであって、
更にキートップが押下されたと判定した場合、先に押下されたキートップに対応する照明光源の光量をキー押下前の光量とし、新たに押下されたキートップに対応する照明光源の光量を、前記所定の光量とするステップを有することを特徴とするキーボードの照明制御プログラム。
【発明の詳細な説明】
【技術分野】
【０００１】
本発明はキーボードの照明制御方法、照明制御プログラム、およびキーボードに関し、特に、キーの操作経過確認を容易にするキーボードの照明制御方法、照明制御プログラム、およびキーボードに関する。
【背景技術】
【０００２】
電話機等の電子機器におけるキー操作の確認方法として、キー操作に応じて、音を発生する、あるいは画面に表示する等の方法が知られている。また、キー操作に応じて、キーを照明するバックライトの点灯を制御する方法が開示されている。（特許文献１参照）
【特許文献１】特開２００３−３１６４９６号公報
【発明の開示】
【発明が解決しようとする課題】
【０００３】
特許文献１に記載のキーバックライト制御方法では、図１０に示す外観の携帯端末機器等において、複数のキーのそれぞれの背面又は近傍に配置された複数の発光素子のうち、図１１に示す従来例の処理フローにしたがって、複数のキーの入力操作に基づいて動作する処理モードが必要とし又は要求するキーに対応する発光素子のみを点灯する。
【０００４】
しかし、キーの入力操作に基づいて、次に動作する処理モードが必要とし又は要求するキーに対応する発光素子を発光させて操作をガイドする前に、直前に押したキーが確実に押されたかを直接確認することが必要である。
【０００５】
直前に押したキーが確実に押されたかを、画面上に反映させ、画面上で確認することは可能であるが、画面を確認するためには視線がキーから離れ、キー操作に不慣れな場合、操作しづらくなる。
【０００６】
キー操作に応じてキーを照明するバックライトを点灯させる方法もあるが、携帯電話のごとく指先よりも小さなキートップのキーを操作した場合、キートップを指先で覆ってしまうためバックライトの点灯を確認できず、また指先がキーから指が離れるとバックライトが消えてしまうため操作確認ができない。
【０００７】
本発明は、キーボード上で、直前に押下したキー操作の確認を可能とし、さらにキー操作の経過確認を容易にする、キーボードの照明制御方法、照明制御プログラム、およびキーボードを提供することを目的とする。
【０００８】
以下、照明されるキーの要素として明示するために、用語として「キートップ」と表記するが、同一要素であっても、操作する部分等の表記として、簡単のために「キー」を用いる。
【課題を解決するための手段】
【０００９】
第一の発明は、複数のキートップと、各キートップに対応するキースイッチと、各キートップに対応する照明光源とを有し、各キートップを個別に照明可能なキーボードの照明制御方法であって、キートップが押下された場合、該押下されたキートップを所定の光量で照明し、該キートップの押下が解除された場合、該押下が解除されたキートップの照明光量を所定の逓減率で時間経過と共に逓減させることを特徴とする。
【００１０】
第二の発明は、第一の発明に記載のキーボードの照明制御方法であって、更にキートップが押下された場合、先に押下されたキートップの照明光量を、前記所定の逓減率とは異なる逓減率で時間経過と共に逓減させ、新たに押下されたキートップの照明光量を前記所定の光量とすることを特徴とする。
【００１１】
第三の発明は、第一の発明に記載のキーボードの照明制御方法であって、更にキートップが押下された場合、先に押下されたキートップの照明光量を、キートップ押下前の光量とし、新たに押下されたキートップの照明光量を、前記所定の光量とすることを特徴とする。
【００１２】
第四の発明は、複数のキートップと、各キートップに対応するキースイッチと、各キートップに対応する照明光源と、照明光量制御部とを有するキーボードであって、照明光量制御部は、キートップが押下されたと判定した場合、該押下されたキートップに対応する照明光源の光量を所定の光量とし、該キートップの押下が解除されたと判定した場合、該押下が解除されたキートップに対応する照明光源の光量を所定の逓減率で時間経過と共に逓減させることを特徴とする。
【００１３】
第五の発明は、第四の発明に記載のキーボードであって、照明光量制御部は、更にキートップが押下されたと判定した場合、先に押下されたキートップに対応する照明光源の光量を、前記所定の逓減率とは異なる逓減率で時間経過と共に逓減させ、新たに押下されたキートップに対応する照明光源の光量を前記所定の光量とすることを特徴とする。
【００１４】
第六の発明は、コンピュータに、複数のキートップと、各キートップに対応するキースイッチと、各キートップに対応する照明光源と、照明光量制御部とを有するキーボードの照明制御を実行させるプログラムであって、キートップが押下されたと判定した場合、該押下されたキートップに対応する照明光源の光量を所定の光量とするステップと、該キートップの押下が解除されたと判定した場合、該押下が解除されたキートップに対応する照明光源の光量を所定の逓減率で時間経過と共に逓減させることを特徴とする。
【００１５】
第七の発明は、第六の発明に記載のキーボードの照明制御プログラムであって、更にキートップが押下されたと判定した場合、先に押下されたキートップに対応する照明光源の光量を、前記所定の逓減率とは異なる逓減率で時間経過と共に逓減させ、新たに押下されたキートップに対応する照明光源の光量を前記所定の光量とするステップを有することを特徴とする。
【００１６】
第八の発明は、第六の発明に記載のキーボードの照明制御プログラムであって、更にキートップが押下されたと判定した場合、先に押下されたキートップに対応する照明光源の光量をキー押下前の光量とし、新たに押下されたキートップに対応する照明光源の光量を、前記所定の光量とするステップを有することを特徴とする。
【発明の効果】
【００１７】
本発明により、キーボード上で、直前に押したキー操作の確認を可能とし、さらにキー操作の経過確認を容易にする、キーボードの照明制御方法、照明制御プログラム、およびキーボードを提供することが可能となる。
【発明を実施するための最良の形態】
【００１８】
図１に、本発明の原理を示す。初期状態（ｔ０）では、各キートップを照明する光量ＬはＬ０である。Ｌ０は、通常、暗視野においてキーの位置を確認できる程度の光量とするが、「照明なし」であっても良い。
【００１９】
時刻ｔ１でキー１が押下されると、押下されたキートップ１を照明する光量Ｌを、Ｌ０とは明確に明るいと視認できる程度の所定光量Ｌ１とする。時刻ｔ２でキートップ１の押下が解除されると、キートップ１を照明する光量Ｌは、時間経過と共に所定の逓減率ｄ１で光量がＬ０に達するまで逓減させる。
【００２０】
キー１の押下が解除された時刻ｔ２でキートップ１を視認するこが可能となり、キートップ１が明るく点灯していることを確認し、もってキー１の操作を確認することが可能となる。
【００２１】
また、引き続き時刻ｔ３でキー２が押下されると、押下されたキートップ２を照明する光量Ｌが所定光量Ｌ１となり、時刻ｔ４でキー２の押下が解除されると、キートップ２を照明する光量Ｌは、時間経過と共に所定の逓減率ｄ１で逓減する。これにより、先に押下／押下解除されたキートップ１はより暗く、後から押下／押下解除されたキートップ２はより明るく照明されるため、キー操作の経過確認が容易となる。
【実施例１】
【００２２】
図２に、本発明の実施例１のタイムチャートを示す。時刻ｔ２までは図１に示す本発明の原理と同様である。また、キートップ２の照明光量Ｌのタイムチャートは、時刻のずれを除き、基本的にキートップ１の照明光量Ｌのタイムチャートと同様のため省略する。
【００２３】
時刻ｔ３でキー２が押下されると、時刻ｔ１で押下されたキートップ１を照明する光量Ｌの逓減率をｄ１とは異なるｄ２とする。
【００２４】
図３は、実施例１を適用するキーボード部概念図を示し、図４は、実施例１を適用する携帯電話機のブロック構成例を示す。
【００２５】
図３において、（ａ）は側面図、（ｂ）は平面図であり、キーボードの基板Ｂ上には、各キースイッチＳＷｎ、各キートップＫｎ、各キートップＫｎをバックライトとして照明する各発光ダイオードＤｎが搭載されている。各キートップＫｎの材料は透光性で、発光ダイオードＤｎが点灯すると、その照明光量に応じてキートップＫｎの明るさが変化する。
【００２６】
図４に示すごとく、携帯電話機１は少なくとも、キースイッチＳＷ１〜ＳＷｎを有するキースイッチ群２、発光ダイオードＤ１〜Ｄｎを有する発光ダイオード群３、通信部４、およびキーボードの照明制御等、携帯電話機の制御を行う制御部５を有する。
【００２７】
キー入力に変化があった場合、例えばキースイッチＳＷｉが押下を検出、あるいはキースイッチＳＷｉが押下解除を検出した場合、キースイッチ群２から当該キーの押下／押下解除を制御部５に通知する。
【００２８】
制御部５は、通知されたキー入力の変化に従って、発光ダイオードＤｉの照明光量Ｌを制御する。
【００２９】
図５に実施例１の制御部５の処理フロー例を示す。制御部５は処理を開始するとステップＳ１で、キー入力ができる状態かを判定し、キー入力不可の場合は処理を終了し、キー入力可の場合はステップＳ２に進む。
【００３０】
ステップＳ２では、キー入力に「変化」があるかを判定し、「変化」がない場合はステップＳ１に戻り、「変化」がある場合はステップＳ３に進み、ステップＳ３では「変化」が「キー押下」、あるいは「キー押下解除」かを判定する。
【００３１】
ステップＳ３で、「変化」が「キー押下」であった場合はステップＳ４に進み、押下されたキーの他に照明光量逓減中のキーが有るかを判定し、照明光量逓減中のキーがない場合はステップＳ６に進み、押下されたキーの照明光量ＬをＬ１に設定してステップＳ１に戻る。
【００３２】
ステップＳ３で、「変化」が「キー押下」ではない、すなわち「キー押下解除」の場合はステップＳ７に進み、「押下解除」されたキーの照明光量Ｌを、目標値＝Ｌ０、逓減率ｄ＝ｄ１として逓減を開始し、ステップＳ１に戻る。
【００３３】
ステップＳ４で、押下されたキーの他に照明光量逓減中のキーが有る場合はステップＳ５に進み、照明光量逓減中のキーの逓減率ｄをｄ２として逓減を継続し、ステップＳ６に進む。
【００３４】
図６は、実施例１を適用した携帯電話機例で、キーＫ１押下／押下解除後、キーＫ２が押下／押下解除された場合、キーＫ１のキートップは暗く照明され、キーＫ２のキートップは明るく照明されることを示す。
【００３５】
なお、照明光量の逓減速度（逓減率）等をユーザの好みに応じて、ユーザが設定できるようにしても良い。例えば、図７の照明光量逓減設定画面例に示すごとく、全体逓減速度（逓減率）を変える、右利き、左利き等使用状況により手で隠される、左列の数字キー（１、４、７）、右列の数字キー（３、６、９）、下段キー（＊、０、＃）の逓減速度を変える、としてもよい。
【実施例２】
【００３６】
図８に、本発明の実施例２のタイムチャートを示す。時刻ｔ３までは図２に示す実施例１のタイムチャートと同様である。
【００３７】
時刻ｔ４で更に他のキーが押下されると、照明光量Ｌを逓減率ｄ２で逓減中のキー、すなわち時刻ｔ１で押下されたキーのキートップを照明する光量Ｌを初期値Ｌ０とする。
【００３８】
なお、後から押下されたキートップを照明する光量は、時刻ｔ１で押下されたキートップを照明する光量と同様に順次制御する。
【００３９】
図９に実施例２の処理フローを示す。ステップＳ９１〜ステップＳ９４は、実施例１の処理フローのステップＳ１〜ステップＳ４と同様である。
【００４０】
ステップＳ９４で、押下されたキーの他の全てのキーについて照明光量逓減中のキーの有無を確認し、照明光量逓減中のキーが無い場合はステップＳ９７に進み、押下されたキーの他に照明光量逓減中のキーが有る場合はステップＳ９５に進む。
【００４１】
ステップＳ９５で各照明光量逓減中のキーの照明光量逓減率ｄを判定し、照明光量逓減率ｄがｄ２でない場合はステップＳ９９に進み、照明光量逓減中のキーの逓減率ｄをｄ２に設定して逓減を開始し、ステップＳ９７に進み、照明光量逓減率ｄがｄ２である場合はステップＳ９６に進む。
【００４２】
ステップＳ９６では、照明光量逓減中のキーの照明光量ＬをＬ０に設定してステップＳ９７に進み、ステップＳ９７では、押下されたキーの照明光量ＬをＬ１に設定してステップＳ９１に戻る。
【００４３】
ステップＳ９３で、「変化」が「キー押下」ではない、すなわち「キー押下解除」の場合はステップＳ９８に進み、「押下解除」されたキーの照明光量Ｌを、目標値＝Ｌ０、逓減率ｄ＝ｄ１として逓減を開始し、ステップＳ９１に戻る。
【００４４】
なお、実施例１においては、逓減率ｄ２は無限大であっても良い。この場合は、照明光量Ｌは即座に目標値Ｌ０となる。
【図面の簡単な説明】
【００４５】
【図１】本発明の原理
【図２】実施例１のタイムチャート
【図３】実施例１を適用するキーボード部概念図
【図４】実施例１を適用する携帯電話機のブロック構成例
【図５】実施例１の制御部処理フロー例
【図６】実施例１を適用した携帯電話機例
【図７】照明光量逓減設定画面例
【図８】実施例２のタイムチャート
【図９】実施例２の処理フロー
【図１０】携帯端末機器の外観
【図１１】従来例の処理フロー
【符号の説明】
【００４６】
１    携帯電話機
２    キースイッチ群
３    発光ダイオード群
４    通信部
５    制御部
Ｂ    キーボード基板
Ｄ１〜Ｄｎ    発光ダイオード
Ｋ１〜Ｋｎ    キートップ
ＳＷ１〜ＳＷｎ    キースイッチ
【図１】
2008158871.tif 000003
【図２】
2008158871.tif 000004
【図３】
2008158871.tif 000005
【図４】
2008158871.tif 000006
【図５】
2008158871.tif 000007
【図６】
2008158871.tif 000008
【図７】
2008158871.tif 000009
【図８】
2008158871.tif 000010
【図９】
2008158871.tif 000011
【図１０】
2008158871.tif 000012
【図１１】
2008158871.tif 000013